(57)【要約】【課題】リールを制動するための構造が従来よりも簡素で部品点数が抑えられ、組み立ても容易であり、さらにリールの制動・非制動の切り替えを簡単に行うことができるテープ繰り出し装置を提供する。【解決手段】外側リール１０と内側リール２０とを有するリール３０において、内側リール２０は外側リール１０に摩擦接触する制動部２４とリールホルダ４０に係止可能なストッパピン２５を有する。ストッパピン２５がリールホルダ４０に係止することで内側リール２０の回転が規制され、外側リール１０が制動部２４で制動されながら回転するよう構成する。内側リール２０は外側リール１０内に、内側リール２０の回転が規制される第１の収納状態と、規制されない第２の収納状態とに入れ替え可能に収納される。【選択図】図２
2020050505.tif 000002
【特許請求の範囲】
【請求項１】
巻回された粘着テープを保持する外側リールおよび前記外側リール内に相対回転可能に収納される内側リールを有するリールと、
前記外側リールを回転可能に支持する軸受け部および前記粘着テープの先端側を剥離可能に保持するテープ保持部を有するリールホルダと、を備え、
前記内側リールは、前記外側リールに摩擦接触する制動部と、前記リールホルダに係止可能な係止部と、を有し、
前記リールホルダは、前記リールが前記粘着テープの繰り出される方向に回転したとき、前記係止部が係止することで前記内側リールの回転を規制し、前記外側リールが前記制動部から制動力を受けながら回転することを可能とする規制部を有し、
前記内側リールは、前記外側リール内に、前記係止部が前記規制部に係止する第１の収納状態と、前記係止部が前記規制部に係止しない第２の収納状態とに入れ替え可能に収納されることを特徴とするテープ繰り出し装置。
【請求項２】
前記係止部は、前記外側リールの回転軸心から外周側にずれた位置から軸方向片側に突出する第１の突起で構成され、
前記規制部は、前記リールホルダに形成され、前記リールが前記粘着テープの繰り出される方向に回転したとき、前記第１の突起が係止する第１の壁部で構成され、
前記第１の突起は、前記第１の収納状態では前記第１の壁部に係止し、前記第２の収納状態では前記第１の壁部に係止しないことを特徴とする請求項１に記載のテープ繰り出し装置。
【請求項３】
前記リールホルダは、互いに対向し、その間に前記リールの収納空間を形成するとともに、前記軸受け部をそれぞれ有する左右一対の側板部を有し、
前記各側板部は、前記第１の壁部をそれぞれ有していることを特徴とする請求項２に記載のテープ繰り出し装置。
【請求項４】
前記外側リールは、前記回転軸心の軸方向両側にそれぞれ突出する２つの回転軸を有し、
前記各側板部は、外部から前記回転軸を前記回転軸にガイドするとともに前記第１の突起を前記第１の壁部に係止可能な位置にガイドする溝状の１つのガイド部をそれぞれ有することを特徴とする請求項２または３に記載のテープ繰り出し装置。
【請求項５】
前記各側板部は、前記第１の突起と前記回転軸のいずれが先に前記ガイド部にガイドされても前記第１の突起が係止し得る前記第１の壁部をそれぞれ有することを特徴とする請求項４に記載のテープ繰り出し装置。
【請求項６】
前記係止部は、前記外側リールの回転軸心と同軸状に軸方向片側に突出する第２の突起で構成され、
前記規制部は、前記リールホルダに形成され、前記リールが前記粘着テープの繰り出される方向に回転したとき、前記第２の突起が係止する第２の壁部で構成され、
前記軸受け部は、前記第２の壁部を共有する構成を有し、
前記第２の突起は、前記第１の収納状態では前記第２の壁部に係止し、前記第２の収納状態では前記第２の壁部に係止しないことを特徴とする請求項１に記載のテープ繰り出し装置。
【請求項７】
前記リールホルダは、互いに対向し、その間に前記リールの収納空間を形成するとともに、前記軸受け部をそれぞれ有する左右一対の側板部を有し、
前記各側板部は、前記第２の壁部をそれぞれ有していることを特徴とする請求項６に記載のテープ繰り出し装置。
【請求項８】
前記外側リールは、前記回転軸心の軸方向両側にそれぞれ突出する２つの回転軸を有し、
前記各側板部は、外部から前記回転軸を前記軸受け部にガイドするとともに前記第２の突起を前記第２の壁部に係止可能な位置にガイドする溝状の１つのガイド部をそれぞれ有することを特徴とする請求項６または７に記載のテープ繰り出し装置。
【発明の詳細な説明】
【技術分野】
【０００１】
本発明は、テープ繰り出し装置に関する。
【背景技術】
【０００２】
従来、ロール状に巻回された帯状の粘着テープをその外端側からの引き出し操作に応じて順次繰り出すとともに、所定の切断操作等に応じて切断および保持する、いわゆる据え置き型（可搬でかつ専ら机や作業台等の上に据え置きされるもの）のテープ繰り出し装置が多用されている。
【０００３】
このようなテープ繰り出し装置は、一般に、巻芯に巻回された粘着テープを保持するリールと、そのリールを回転可能かつ着脱可能に支持するリールホルダと、そのリールから繰り出した粘着テープの先端側部分を切断するカッターと、そのカッターの近傍で粘着テープの後続部分の先端を剥離可能に保持するテープ保持部と、を備えている。
【０００４】
従来のこの種のテープ繰り出し装置としては、例えば、リールの回転が伝達される歯車に摩擦クラッチを設け、テープを引き出すと摩擦クラッチが滑りながらリールが回転するような構成のものが知られている（例えば、特許文献１等参照）。
【０００５】
また、ねじの締め付け等の手段によってリールの回転トルクを調整するトルク調整機構を備えたものも知られている（例えば、特許文献２等参照）。
【０００６】
上述のようなテープ繰り出し装置では、粘着テープを引き出す際に摩擦クラッチやトルク調整機構によってリールがある程度制動され、これによって繰り出された部分の粘着テープにテンションがかかる。このような構成のテープ繰り出し装置は、例えば両面粘着テープのように外周面側に剥離シートが貼着されて剥離しやすい粘着テープであっても、テンションがかかることにより粘着テープを引き出しやすく、また、粘着テープを切断する場合には切断しやすいという利点がある。
【先行技術文献】
【特許文献】
【０００７】
【特許文献１】特開２００１−１９９６１９号公報
【特許文献２】特許第５３１４８０４号公報
【発明の概要】
【発明が解決しようとする課題】
【０００８】
しかしながら、従来のテープ繰り出し装置にあっては、摩擦クラッチやトルク調整機構を設けるため、装置の構造が複雑になるとともに部品点数が多くなり、これに伴い組み立ても繁雑になるという問題があった。また、摩擦クラッチを設けた従来のものは、リールの制動を必要としない場合であっても、その制動を解除することができないという欠点があった。
【０００９】
本発明は上述のような従来の課題を解決するためになされたものであり、リールを制動するための構造が従来よりも簡素で部品点数が抑えられ、組み立ても容易であり、さらにリールの制動・非制動の切り替えを簡単に行うことができるテープ繰り出し装置を提供することを目的としている。
【課題を解決するための手段】
【００１０】
本発明に係るテープ繰り出し装置は、（１）巻回された粘着テープを保持する外側リールおよび前記外側リール内に相対回転可能に収納される内側リールを有するリールと、前記外側リールを回転可能に支持する軸受け部および前記粘着テープの先端側を剥離可能に保持するテープ保持部を有するリールホルダと、を備え、前記内側リールは、前記外側リールに摩擦接触する制動部と、前記リールホルダに係止可能な係止部と、を有し、前記リールホルダは、前記リールが前記粘着テープの繰り出される方向に回転したとき、前記係止部が係止することで前記内側リールの回転を規制し、前記外側リールが前記制動部から制動力を受けながら回転することを可能とする規制部を有し、前記内側リールは、前記外側リール内に、前記係止部が前記規制部に係止する第１の収納状態と、前記係止部が前記規制部に係止しない第２の収納状態とに入れ替え可能に収納されることを特徴とする。
【００１１】
本発明に係るテープ繰り出し装置では、内側リールが第１の収納状態において粘着テープを引き出しリールが回転すると、内側リールの係止部がリールホルダの規制部に係止することで内側リールは回転が規制され、外側リールのみが内側リールの制動部から制動力を受けながら回転する。これにより引き出される粘着テープに制動力に応じたテンションがかかる。このため、粘着テープが両面粘着テープのように剥離しやすいものであっても、引き出された粘着テープにテンションを好適にかけることができる。その結果、粘着テープを適度な抵抗を受けながら引き出しやすくなり、また、粘着テープを切断する場合には容易かつ確実に切断することができる。
【００１２】
本発明に係るテープ繰り出し装置は、上述の構成により、リールを制動するための構造が従来よりも簡素で部品点数が抑えられるとともに、容易に組み立てることができる。
【００１３】
また、本発明に係るテープ繰り出し装置は、内側リールの外側リール内への収納状態を入れ替えることにより、リールの制動・非制動の切り替えを簡単に行うことができる。すなわち、内側リールが第１の収納状態では上述のように外側リールが制動される。そして、内側リールが第２の収納状態では、内側リールの係止部がリールホルダの規制部に係止しないため、内側リールは回転が規制されず、したがって外側リールは内側リールから制動力を受けずに回転する。このように内側リールが第２の収納状態の場合、本発明に係るテープ繰り出し装置は、粘着テープ自身の粘着力によってテンションがかかるような粘着テープを外側リールに保持して好適に使用することができる。
【００１４】
本発明に係るテープ繰り出し装置は、（２）前記係止部は、前記外側リールの回転軸心から外周側にずれた位置から軸方向片側に突出する第１の突起で構成され、前記規制部は、前記リールホルダに形成され、前記リールが前記粘着テープの繰り出される方向に回転したとき、前記第１の突起が係止する第１の壁部で構成され、前記第１の突起は、前記第１の収納状態では前記第１の壁部に係止し、前記第２の収納状態では前記第１の壁部に係止しないことを特徴とする。
【００１５】
この構成により、本発明に係るテープ繰り出し装置は、内側リールの第１の突起をリールホルダの第１の壁部に係止させることで内側リールの回転を規制する構造であるため、リールを制動するための構造が従来よりも簡素で部品点数が抑えられる。
【００１６】
本発明に係るテープ繰り出し装置は、（３）前記リールホルダは、互いに対向し、その間に前記リールの収納空間を形成するとともに、前記軸受け部をそれぞれ有する左右一対の側板部を有し、前記各側板部は、前記第１の壁部をそれぞれ有していることを特徴とする。
【００１７】
この構成により、本発明に係るテープ繰り出し装置は、内側リールが第１の収納状態においてリールをリールホルダの収納空間に収納してセットする際、左右の各側板部に対するリールの向き、すなわちリールの左右の向きがいずれの場合であっても、軸方向の片側に突出する第１の突起を、いずれか一方の側板部の第１の壁部に係止可能にセットすることができる。すなわち、リールをリールホルダから取り外し、リールの左右の向きを逆にしても、リールに制動がかかるようにセットすることができる。このため、本発明に係るテープ繰り出し装置は、リールの左右の向きを確かめてセットするという繁雑な作業が不要となり、使い勝手が良好となる。
【００１８】
本発明に係るテープ繰り出し装置は、（４）前記外側リールは、前記回転軸心の軸方向両側にそれぞれ突出する２つの回転軸を有し、前記各側板部は、外部から前記回転軸を前記回転軸にガイドするとともに前記第１の突起を前記第１の壁部に係止可能な位置にガイドする溝状の１つのガイド部をそれぞれ有することを特徴とする。
【００１９】
この構成により、本発明に係るテープ繰り出し装置は、左右の側板部の各ガイド部を利用してリールをリールホルダに外部から容易にセットすることができる。
【００２０】
本発明に係るテープ繰り出し装置は、（５）前記各側板部は、前記第１の突起と前記回転軸のいずれが先に前記ガイド部にガイドされても前記第１の突起が係止し得る前記第１の壁部をそれぞれ有することを特徴とする。
【００２１】
この構成により、本発明に係るテープ繰り出し装置は、内側リールが第１の収納状態において、内側リールの第１の突起と、第１の突起と同じ軸方向に突出する外側リールの回転軸をガイド部に入れる場合、どちらを先に入れても、第１の突起を第１の壁部に係止可能にセットすることができる。このため、本発明に係るテープ繰り出し装置は、第１の突起と回転軸の位置を確かめてセットするという繁雑な作業が不要となり、使い勝手が良好となる。
【００２２】
本発明に係るテープ繰り出し装置は、（６）前記係止部は、前記外側リールの回転軸心と同軸状に軸方向片側に突出する第２の突起で構成され、前記規制部は、前記リールホルダに形成され、前記リールが前記粘着テープの繰り出される方向に回転したとき、前記第２の突起が係止する第２の壁部で構成され、前記軸受け部は、前記第２の壁部を共有する構成を有し、前記第２の突起は、前記第１の収納状態では前記第２の壁部に係止し、前記第２の収納状態では前記第２の壁部に係止しないことを特徴とする。
【００２３】
本発明に係るテープ繰り出し装置は、リールホルダの各側板部の軸受け部が第２の壁部を共有する構成のため、リールホルダの各側板部を簡素な構成とすることができる。
【００２４】
本発明に係るテープ繰り出し装置は、（７）前記リールホルダは、互いに対向し、その間に前記リールの収納空間を形成するとともに、前記軸受け部をそれぞれ有する左右一対の側板部を有し、前記各側板部は、前記第２の壁部をそれぞれ有していることを特徴とする。
【００２５】
この構成により、本発明に係るテープ繰り出し装置は、内側リールが第１の収納状態においてリールをリールホルダの収納空間に収納してセットする際、リールの左右の向きがいずれの場合であっても、軸方向の片側に突出する第２の突起を、いずれか一方の側板部の第２の壁部に係止可能にセットすることができる。このため、リールの左右の向きを確かめてセットするという繁雑な作業が不要となり、使い勝手が良好となる。
【００２６】
本発明に係るテープ繰り出し装置は、（８）前記外側リールは、軸方向両側にそれぞれ突出する２つの回転軸を有し、前記各側板部は、外部から前記回転軸を前記軸受け部にガイドするとともに前記第２の突起を前記第２の壁部に係止可能な位置にガイドする溝状の１つのガイド部をそれぞれ有することを特徴とする。
【００２７】
この構成により、本発明に係るテープ繰り出し装置は、各ガイド部を利用してリールをリールホルダに外部から容易にセットすることができる。
【発明の効果】
【００２８】
本発明によれば、リールを制動するための構造が従来よりも簡素で部品点数が抑えられ、組み立ても容易であり、さらにリールの制動・非制動の切り替えを簡単に行うことができるテープ繰り出し装置を提供することができる。
【図面の簡単な説明】
【００２９】
【図１】本発明の第１の実施形態に係るテープ繰り出し装置の斜視図である。
【図２】本発明の第１の実施形態に係るテープ繰り出し装置の一部を切り欠いた右側面図であってストッパピンがリールホルダの上側壁部に係止した状態を示す図である。
【図３】本発明の第１の実施形態に係るテープ繰り出し装置のリールの分解斜視図である。
【図４】本発明の第１の実施形態に係るテープ繰り出し装置のリールであって内側リールが第１の収納状態の場合の斜視図である。
【図５】本発明の第１の実施形態に係るテープ繰り出し装置のリールであって内側リールが第１の収納状態の場合の正面図である。
【図６】（ａ）は本発明の第１の実施形態に係るテープ繰り出し装置のリールであって内側リールが第２の収納状態の場合の正面図、（ｂ）はその側面図である。
【図７】本発明の第１の実施形態に係るテープ繰り出し装置のリールホルダであってその一部を切欠いた状態の右側面図である。
【図８】本発明の第１の実施形態に係るテープ繰り出し装置のリールホルダであってその一部を切欠いた状態の左側面図である。
【図９】本発明の第１の実施形態に係るテープ繰り出し装置のリールホルダにおける側板部内面に形成されたガイド溝部および係止溝部を示す図である。
【図１０】本発明の第１の実施形態に係るテープ繰り出し装置の一部を切り欠いた右側面図であってストッパピンがリールホルダの後側壁部に係止した状態を示す図である。
【図１１】本発明の第１の実施形態に係るテープ繰り出し装置の一部を切り欠いた右側面図であって内側リールが第２の収納状態の場合を示す図である。
【図１２】本発明の第２の実施形態に係るテープ繰り出し装置の斜視図である。
【図１３】本発明の第２の実施形態に係るテープ繰り出し装置の一部を切り欠いた右側面図であって矩形突起がリールホルダの軸受け部に係止した状態を示す図である。
【図１４】本発明の第２の実施形態に係るテープ繰り出し装置のリールの分解斜視図である。
【図１５】本発明の第２の実施形態に係るテープ繰り出し装置のリールであって、内側リールが第１の収納状態の場合の斜視図である。
【図１６】本発明の第２の実施形態に係るテープ繰り出し装置のリールであって、内側リールが第１の収納状態の場合の正面図である。
【図１７】本発明の第２の実施形態に係るテープ繰り出し装置の内側リールが有する矩形突起を示す図である。
【図１８】（ａ）は本発明の第２の実施形態に係るテープ繰り出し装置のリールであって内側リールが第２の収納状態の場合の正面図、（ｂ）はその側面図である。
【図１９】本発明の第２の実施形態に係るテープ繰り出し装置のリールホルダであってその一部を切欠いた状態の右側面図である。
【図２０】本発明の第２の実施形態に係るテープ繰り出し装置のリールホルダであってその一部を切欠いた状態の左側面図である。
【図２１】本発明の第２の実施形態に係るテープ繰り出し装置のリールホルダにおける側板部内面に形成されたガイド溝部および軸受け部を示す図であって（ａ）は軸受け部に矩形突起が嵌合している状態を示す図、（ｂ）は軸受け部に外側リール軸部が支持されている状態を示す図である。
【図２２】本発明の第２の実施形態に係るテープ繰り出し装置の一部を切り欠いた右側面図であって内側リールが第２の収納状態の場合を示す図である。
【発明を実施するための形態】
【００３０】
以下、本発明の実施の形態について、図面を参照しつつ説明する。
【００３１】
（第１の実施形態）
図１〜図１１は、本発明の第１の実施形態に係るテープ繰り出し装置１を説明するための図である。
【００３２】
まず、その構成について説明する。
【００３３】
図１および図２に示すように、本実施形態に係るテープ繰り出し装置１は、巻回された粘着テープ５を保持する外側リール１０と、外側リール１０内に外側リール１０と相対回転可能に収納される内側リール２０と、を有するリール３０を備えている。また、本実施形態に係るテープ繰り出し装置１は、リール３０の外側リール１０を回転可能に支持する後述する軸受け部６３と、粘着テープ５の先端側を剥離可能に保持するテープ保持部７１と、を有する据え置き型のリールホルダ４０を備えている。
【００３４】
粘着テープ５は、例えば、外面側に分離性の良好な不図示の剥離シートが貼られた公知の両面粘着テープである。粘着テープ５は、円環状の巻芯６の外周面にロール状に巻回されている。
【００３５】
リールホルダ４０は、底板部４１と、互いに対向するように底板部４１に立設され、リール３０の収納空間４０ａをその間に形成する左右一対の側板部４２、４３と、粘着テープ５の引き出し方向である各側板部４２、４３の前方（図２で左方）に粘着テープ５の引き出し空間４０ｂを空けて底板部４１に立設された前板部４４と、テープガイド部４５と、を有する。
【００３６】
ここで、以下の説明でいう前後の方向は、図１および図２の矢印Ｆで示すリール３０から粘着テープ５を引き出す方向を前方、その逆方向を後方と定義する。
【００３７】
前板部４４は、その上端面に、リール３０から引き出した粘着テープ５を切断するためのテープカッター７０を有する。また、前板部４４は、その上端面に、テープカッター７０で切断された粘着テープ５の後続部分の先端を剥離可能に保持するテープ保持部７１を有する。
【００３８】
テープガイド部４５は、底板部４１におけるテープ引き出し空間４０ｂの下方にあたる位置に設けられている。テープガイド部４５は、底板部４１に立設されたポスト部４５ａと、ポスト部４５ａの上端に一体に設けられた左右方向に延在するガイドロッド部４５ｂと、を有する。テープガイド部４５は、粘着テープ５をガイドロッド部４５ｂの下方にくぐらせて引き出すことで、粘着テープ５がテープ保持部７１に確実に付くようにするものである。
【００３９】
図３〜図５に示すように、外側リール１０は、外周壁部１１と、外周壁部１１の軸方向一端側の開口を塞ぐ円板状の端板部１２と、端板部１２の中心に外周壁部１１と同軸状に設けられた回転中心軸部１３と、を有する。外周壁部１１、端板部１２および回転中心軸部１３は、例えば樹脂等により一体成形されている。
【００４０】
外周壁部１１は、粘着テープ５が巻回された巻芯６をその内周面側から着脱可能に支持する短軸円筒状のもので、その外周面には、軸方向に延在する例えば３つのリブ１１ａが周方向等間隔に離間して形成されている。粘着テープ５は、巻芯６の内周面にリブ１１ａが圧着することで、外側リール１０の外周壁部１１に着脱可能に外装される。
【００４１】
回転中心軸部１３は、端板部１２の外面側に延在する第１の外側リール軸部１３ａと、外周壁部１１内において延在する内側リール軸受け部１３ｃと、内側リール軸受け部１３ｃの先端から延びる第２の外側リール軸部１３ｂと、を有する。第１および第２の外側リール軸部１３ａ、１３ｂはそれぞれ同一の外径を有し、内側リール軸受け部１３ｃは第１および第２の外側リール軸部１３ａ、１３ｂの外径よりもやや大きな外径を有する。
【００４２】
図５に示すように、第１および第２の外側リール軸部１３ａ、１３ｂは、それぞれ外周壁部１１から軸方向に所定長さ突出するように形成されている。第１および第２の外側リール軸部１３ａ、１３ｂは、本発明の外側リールの回転軸を構成する。
【００４３】
図３に示すように、端板部１２には、後述するストッパピン２５の先端部が挿入される円形の孔１２ａが形成されている。この孔１２ａは、回転中心軸部１３からやや外周側にずれた位置に形成されている。
【００４４】
図３および図４に示すように、内側リール２０は、内側リール２０の中心部を構成してその中心に軸孔２１ａを有する円筒状のボス部２１と、ボス部２１の軸方向一端側に形成された円板状の連結板部２２と、連結板部２２の外周部にステー部２３を介して設けられた４つの制動部２４と、後述するようにリールホルダ４０に係止可能なストッパピン２５と、を有する。ストッパピン２５は、本発明の係止部であって第１の突起を構成する。ボス部２１、連結板部２２、各ステー部２３、各制動部２４およびストッパピン２５は、例えば樹脂等により一体成形されている。
【００４５】
各制動部２４は、ステー部２３の先端からボス部２１が設けられた側に軸方向に突出する円弧板状の板部２４ａを有する。板部２４ａは、外側リール１０の外周壁部１１の内周面に沿った円弧板状に形成されている。板部２４ａは、ステー部２３から周方向一方側に延在しており、その外周面の周方向先端側に、軸方向に延びるリブ２４ｂが形成されている。
【００４６】
なお、制動部２４は、本実施形態では４つを備えるが、その数は任意であり、例えば３つでもよく、必要であれば５つ以上を備えていてもよい。
【００４７】
ストッパピン２５は、ボス部２１の端面の軸孔２１ａからやや外周側にずれた位置に、軸方向に突出するように形成されている。
【００４８】
本実施形態に係るテープ繰り出し装置１においては、内側リール２０が外側リール１０内に、後述するようにストッパピン２５がリールホルダ４０の係止溝部６０の後側壁部６１ｂまたは上側壁部６２に係止する第１の収納状態と、ストッパピン２５が係止溝部６０に係止しない第２の収納状態とに入れ替え可能に収納されるようになっている。
【００４９】
第１の収納状態は、図４および図５に示すように、連結板部２２側を外側リール１０内に向けて内側リール２０を外側リール１０内に収納した状態である。一方、第２の収納状態は、第１の収納状態とは逆に、ボス部２１側を外側リール１０内に向けて内側リール２０を外側リール１０内に収納した状態である。いずれの場合も、内側リール２０の軸孔２１ａに外側リール１０の内側リール軸受け部１３ｃが挿入されるようになっている。
【００５０】
上述の第１の収納状態においてリール３０は、図５に示すように、ストッパピン２５が第２の外側リール軸部１３ｂと並んで外周壁部１１から軸方向外側に突出した状態となる。また、第１の収納状態では、内側リール２０が内側リール軸受け部１３ｃを軸にして外側リール１０と相対回転可能となる。リール３０は、内側リール２０が外側リール１０に対し相対回転すると、４つの制動部２４の各リブ２４ｂが外周壁部１１の内周面に摩擦接触して摺動しながら回転するように構成されている。
【００５１】
また、リール３０において内側リールを上述の第２の収納状態とするには、内側リール２０のストッパピン２５の先端部を外側リール１０の孔１２ａ内に挿入する。これにより第２の収納状態では、図６に示すように第１および第２の外側リール軸部１３ａ、１３ｂが外周壁部１１から軸方向外側にそれぞれ突出した状態となる。また、第２の収納状態では、ストッパピン２５が孔１２ａに挿入されて端板部１２に係止することにより、内側リール２０と外側リール１０とは一体回転可能となる。
【００５２】
図７および図８に示すように、左右の側板部４２、４３は、その互いに対向する内面に、１つのガイド溝部５０および１つの係止溝部６０をそれぞれ有する。これらガイド溝部５０および係止溝部６０は、左右対称に形成されている。
【００５３】
すなわち、図７に示すように、一方の側板部４２は、その内面に、上下方向に延在するガイド溝部５０と、ガイド溝部５０の下端部の前方部分に連通してその連通する部分から下方に延在する係止溝部６０と、を有する。ガイド溝部５０は、側板部４２の上端面にガイド口５０ａを有する。ガイド溝部５０は、本発明のガイド部を構成する。
【００５４】
ガイド溝部５０は、外側リール１０の第１の外側リール軸部１３ａまたは第２の外側リール軸部１３ｂや、内側リール２０のストッパピン２５が、ガイド口５０ａからそれぞれ差し込まれ、それら第１の外側リール軸部１３ａまたは第２の外側リール軸部１３ｂと、ストッパピン２５とを、係止溝部６０にガイドし得るように構成されている。
【００５５】
係止溝部６０は、粘着テープ５がリール３０から引き出されてリール３０が回転する際に、内側リール２０のストッパピン２５が係止して内側リール２０の回転を規制するように構成されている。
【００５６】
図９に示すように、係止溝部６０は底部６１を有し、底部６１は、前側壁部６１ａと、後側壁部６１ｂと、を有する。また、係止溝部６０は、円弧状にえぐれた上側壁部６２を有する。係止溝部６０の後側壁部６１ｂおよび上側壁部６２は、それぞれ内側リール２０のストッパピン２５が係止する本発明の規制部であって第１の壁部を構成する。
【００５７】
また、係止溝部６０は、底部６１と上側壁部６２との間に、軸受け部６３を有する。軸受け部６３は、前方にえぐれた前側壁部６３ａと、前方にせり出した後側壁部６３ｂと、を有する。軸受け部６３は、前側壁部６３ａと後側壁部６３ｂとの間に、外側リール１０の第１の外側リール軸部１３ａまたは第２の外側リール軸部１３ｂを挟み、これら第１および第２の外側リール軸部１３ａ、１３ｂを回転可能に支持するように構成されている。
【００５８】
ここで、本実施形態では、内側リール２０が上述した第１の収納状態であった場合、ストッパピン２５と第２の外側リール軸部１３ｂのいずれが先にガイド溝部５０に差し入れられて係止溝部６０にガイドされても、ストッパピン２５が第１の壁部（係止溝部６０の後側壁部６１ｂおよび上側壁部６２で構成される）に係止することができるようになっている。
【００５９】
すなわち、第２の外側リール軸部１３ｂ、ストッパピン２５の順でこれらをガイド口５０ａからガイド溝部５０に差し入れて落とし込んだ場合、先に入った第２の外側リール軸部１３ｂが軸受け部６３に支持された状態となり、ストッパピン２５が上側壁部６２に当接して係止する状態となる。図２はこの状態を示しており、本実施形態ではこの状態でリール３０から粘着テープ５を引き出すと、ストッパピン２５が上側壁部６２に当接して係止され、これにより内側リール２０の回転が規制され、リール３０は外側リール１０のみが回転可能となるよう構成されている。
【００６０】
また、上述の場合と逆に、ストッパピン２５、第２の外側リール軸部１３ｂの順でこれらをガイド口５０ａからガイド溝部５０に差し入れて落とし込んだ場合、先に入ったストッパピン２５が係止溝部６０の底部６１に入り、ストッパピン２５は後側壁部６１ｂに当接して係止され得る状態となる。また、第２の外側リール軸部１３ｂは軸受け部６３に支持された状態となる。図１０はこの状態を示しており、本実施形態ではこの状態でリール３０から粘着テープ５を引き出すと、ストッパピン２５が後側壁部６１ｂに当接して係止され、これにより内側リール２０の回転が規制され、リール３０は外側リール１０のみが回転可能となるよう構成されている。
【００６１】
上述した側板部４２の内面が有するガイド溝部５０および係止溝部６０は、図８に示すように他方の側板部４３の内面に左右対称の状態で同様に設けられている。
【００６２】
本実施形態に係るテープ繰り出し装置１は、上述のように、内側リール２０の回転が規制されて外側リール１０のみが回転する場合、外側リール１０は、その内周面が内側リール２０の制動部２４のリブ２４ｂに摩擦接触して摺動し、制動部２４から制動力を受けながら回転するようになっている。これにより本実施形態に係るテープ繰り出し装置１では、引き出される粘着テープ５に制動力に応じたテンションがかかるようになっている。
【００６３】
また、本実施形態に係るテープ繰り出し装置１は、内側リール２０を上述の第２の収納状態とした場合には、例えば第１の外側リール軸部１３ａを側板部４２側の軸受け部６３で支持させ、第２の外側リール軸部１３ｂを側板部４３側の軸受け部６３で支持させることで、リール３０をリールホルダ４０に回転可能にセットすることができるようになっている。図１１は、そのようにセットした場合の状態を示している。
【００６４】
また、本実施形態に係るテープ繰り出し装置１は、リール３０の左右の向きを変えて、第２の外側リール軸部１３ｂを側板部４２側の軸受け部６３で支持させ、第１の外側リール軸部１３ａを側板部４３側の軸受け部６３で支持させることでも、リール３０をリールホルダ４０に回転可能にセットすることができるようになっている。
【００６５】
本実施形態に係るテープ繰り出し装置１は、内側リール２０が第２の収納状態の場合、図６に示したようにリール３０から突出しないようになっている。したがってストッパピン２５はリールホルダ４０の後側壁部６１ｂや上側壁部６２に係止しない。このためリール３０は、外側リール１０が内側リール２０の制動部２４により制動力を受けることがなく、内側リール２０と外側リール１０とが一体となって回転するようになっている。
【００６６】
次に、作用について説明する。
【００６７】
本実施形態に係るテープ繰り出し装置１では、内側リール２０が上述した第１の収納状態でリールホルダ４０にセットされている場合、リール３０から粘着テープ５を引き出すと、外側リール１０が内側リール２０の制動部２４から制動力を受けながら回転し、引き出される粘着テープに制動力に応じたテンションがかかる。このため、粘着テープ５が本実施形態の両面粘着テープのように剥離しやすいものであっても、引き出された粘着テープ５にテンションを好適にかけることができる。その結果、粘着テープ５を適度な抵抗を受けながら引き出しやすくなり、また、粘着テープ５をテープカッター７０で切断する場合には容易かつ確実に切断することができる。
【００６８】
本発明に係るテープ繰り出し装置１は、リール３０を制動させる構造が、リールホルダ４０に係止するストッパピン２５を有する内側リール２０の制動部２４の摩擦接触で外側リール１０を制動するというものである。このため、リール３０を制動するための構造が従来よりも簡素で部品点数が抑えられるとともに、容易に組み立てることができる。
【００６９】
また、本発明に係るテープ繰り出し装置１は、内側リール２０の外側リール１０内への収納状態を入れ替える（第１の収納状態か第２の収納状態）ことにより、リール３０の制動・非制動の切り替えを簡単に行うことができる。リール３０が非制動の第２の収納状態の場合には、粘着テープ自身の粘着力によってテンションがかかるような粘着テープを外側リール１０に保持して好適に使用することができる。
【００７０】
また、本発明に係るテープ繰り出し装置１は、内側リール２０が第１の収納状態においてリール３０をリールホルダ４０にセットする際、リール３０の左右の向きがいずれの場合であっても、ストッパピン２５を、側板部４２、４３のいずれか一方の後側壁部６１ｂまたは上側壁部６２に係止可能にセットすることができる。すなわち、リール３０をリールホルダ４０から取り外し、リール３０の左右の向きを逆にしても、リール３０に制動がかかるようにセットすることができる。このため、本発明に係るテープ繰り出し装置１は、リール３０の左右の向きを確かめてセットするという繁雑な作業が不要となり、使い勝手が良好となる。
【００７１】
また、本実施形態に係るテープ繰り出し装置１は、左右の側板部４２、４３の各ガイド溝部５０を利用してリール３０をリールホルダ４０に外部から容易にセットすることができる。
【００７２】
また、本実施形態に係るテープ繰り出し装置１は、内側リール２０が第１の収納状態において、互いに並んで同じ軸方向に突出しているストッパピン２５と第２の外側リール軸部１３ｂのいずれを先にガイド溝部５０に差し入れても、ストッパピン２５が後側壁部６１ｂまたは上側壁部６２に係止して内側リール２０の回転を規制することができる。このため、本実施形態に係るテープ繰り出し装置１は、ストッパピン２５と第２の外側リール軸部１３ｂの位置を確かめてセットするという繁雑な作業が不要となり、使い勝手が良好となる。
【００７３】
（第２の実施形態）
次に、図１２〜図２２を参照しつつ、本発明の第２の実施形態を説明する。
【００７４】
以下に説明する第２の実施形態に係るテープ繰り出し装置２は、上述した第１の実施形態において、ストッパピン２５に代えて矩形突起８０を有する点、およびリールホルダ４０がガイド溝部５１を有する点で第１の実施形態と相違する。したがって以下の第２の実施形態については第１の実施形態と同一構成要素には同一の符号を付してその説明を省略または簡略にし、第１の実施形態との相違点について説明する。
【００７５】
図１２および図１３は、第２の実施形態に係るテープ繰り出し装置２を示している。図１２ではリール３０に粘着テープ５が装着されておらず、図１３はリール３０に粘着テープ５が装着されている状態を示している。
【００７６】
図１４〜図１６に示すように、第２の実施形態の外側リール１０は、外周壁部１１と、端板部１２と、回転中心軸部１３と、を有する。回転中心軸部１３は、端板部１２の外面側に延在する第１の外側リール軸部１３ａと、外周壁部１１内において延在する内側リール軸受け部１３ｃと、内側リール軸受け部１３ｃの先端から延びる第２の外側リール軸部１３ｂと、を有する。第２の実施形態では、第１および第２の外側リール軸部１３ａ、１３ｂと内側リール軸受け部１３ｃとは同一の外径を有する。
【００７７】
図１４に示すように、第２の実施形態の内側リール２０は、中心に軸孔２６ａが形成された円筒状のボス部２６を有する。ボス部２６は、連結板部２２とボス部２６の外周部にわたって形成された例えば３つの板状のリブ２７で補強されている。
【００７８】
図１４に示すように、第２の実施形態のおける内側リール２０の制動部２４は、ステー部２３の周方向両側に延在する板部２４ａと、板部２４ａの両端にそれぞれ形成され、外側リール１０の外周壁部１１の内周面に摩擦接触する２つのリブ２４ｂと、を有する。
【００７９】
第２の実施形態のリール３０においては、ボス部２６の軸孔２６ａに外側リール１０の内側リール軸受け部１３ｃが挿入されて内側リール２０が外側リール１０内に相対回転可能に収納されるようになっている。
【００８０】
図１４および図１７に示すように、ボス部２６は、その環状の先端面２６ｂに、軸方向に突出する断面略直角二等辺三角形状の４つの突起片８１を有する。各突起片８１は、周方向等間隔に離間して形成されている。
【００８１】
図１７に示すように、各突起片８１は、２つの斜面８１ａおよび内面８１ｂをそれぞれ有する。各突起片８１は、隣接する突起片８１の斜面８１ａどうしが同一面上に位置するように形成されることで、各突起片８１を総合してみた場合、断面の外形が略正方形状になるよう構成されている。各突起片８１の内面８１ｂは、ボス部２６の内周面に沿うように円弧状に形成されている。
【００８２】
４つの突起片８１により本実施形態の矩形突起８０が構成される。この矩形突起８０は、本発明の係止部であって第２の突起を構成する。
【００８３】
図１５および図１６は、第２の実施形態のリール３０における第１の収納状態を示している。第２の収納状態では、第２の外側リール軸部１３ｂは矩形突起８０内に収まるようになっている。すなわち、リール３０は、第１の収納状態では、第２の外側リール軸部１３ｂを内部に収納した矩形突起８０と、第１の外側リール軸部１３ａとが同軸状に突出するようになっている。
【００８４】
また、第２の実施形態のリール３０においては、図１５および図１６とは逆に、矩形突起８０側を外側リール１０内に向けた状態で内側リール２０を外側リール１０内に収納した状態が第２の収納状態となる。この第２の収納状態では、図１８に示すように第１および第２の外側リール軸部１３ａ、１３ｂが外周壁部１１から軸方向外側にそれぞれ突出するようになっている。
【００８５】
第２の実施形態のテープ繰り出し装置２の各側板部４２、４３は、図１９および図２０に示すように、その内面に、左右対称に形成されたガイド溝部５１および軸受け部６５をそれぞれ有する。
【００８６】
第２の実施形態のリール３０は、内側リール２０が上述の第１の収納状態の場合、外側リール１０の第１の外側リール軸部１３ａと矩形突起８０が各ガイド溝部５１にそれぞれ差し入れられて軸受け部６５にガイドされる。この状態でリール３０は、矩形突起８０が軸受け部６５に係止することにより、内側リール２０は回転が規制され、外側リール１０のみが回転するようになっている。
【００８７】
また、第２の実施形態のリール３０は、上述の第２の収納状態の場合、外側リール１０の第１および第２の外側リール軸部１３ａ、１３ｂが各ガイド溝部５１に差し入れられて軸受け部６５にガイドされ、各外側リール軸部１３ａ、１３ｂが軸受け部６５に回転可能に支持されるようになっている。
【００８８】
各ガイド溝部５１は、断面矩形状の溝であって各側板部４２、４３の上端面にガイド口５１ａを有する。各ガイド溝部５１は所定長さを有する直線状であってガイド口５１ａから前下がりに傾斜するように形成されている。
【００８９】
図２１に示すように、各ガイド溝部５１は、その下端部に軸受け部６５を有する。軸受け部６５は、各ガイド溝部５１を構成する互いに平行に対面する上側内壁部５２ａおよび下側内壁部５２ｂと、これら上側内壁部５２ａおよび下側内壁部５２ｂに直交する底壁部５２ｃと、を有する。
【００９０】
軸受け部６５を含むガイド溝部５１の幅、すなわち上側内壁部５２ａと下側内壁部５２ｂとの間隔は、上述の矩形突起８０の幅である平行な斜面８１ａの間隔よりも僅かに大きく、矩形突起８０がガイド溝部５１内で回転できないようなサイズに設定されている。
【００９１】
第２の実施形態に係る各軸受け部６５は、図２１（ａ）に示すように、内側リール２０が第１の収納状態の場合、矩形突起８０が嵌合し、これにより内側リール２０の回転を規制するように構成されている。すなわち、矩形突起８０がガイド溝部５１に差し入れられて軸受け部６５に落とし込まれると、上側内壁部５２ａ、下側内壁部５２ｂおよび底壁部５２ｃに当接する各突起片８１の斜面８１ａにより、矩形突起８０は軸受け部６５に係止されて回転が規制されるようになっている。上側内壁部５２ａ、下側内壁部５２ｂおよび底壁部５２ｃは、本発明の規制部であって第２の壁部を構成する。
【００９２】
また、第２の実施形態に係る各軸受け部６５は、内側リール２０が第２の収納状態の場合、図２１（ｂ）に示すように、第１および第２の外側リール軸部１３ａ、１３ｂを上側内壁部５２ａ、下側内壁部５２ｂおよび底壁部５２ｃによって回転可能に支持するようなっている。
【００９３】
このように第２の実施形態のテープ繰り出し装置２の軸受け部６５は、リール３０を回転可能に支持する機能と、内側リール２０の回転を規制する機能を共有する構成を有している。
【００９４】
第２の実施形態に係るテープ繰り出し装置２では、内側リール２０を第１の収納状態とした場合、例えば、第１の外側リール軸部１３ａを側板部４２側の軸受け部６５で支持させ、矩形突起８０を側板部４３側の軸受け部６５に嵌合させることで、リール３０がリールホルダ４０にセットされるようになっている。図１３はその状態を示しており、この状態でリール３０から粘着テープ５を引き出すと、矩形突起８０が軸受け部６５に係止され、これにより内側リール２０の回転が規制され、外側リール１０のみが回転可能となる。このようにして外側リール１０のみが回転する場合、外側リール１０は、その内周面が内側リール２０の制動部２４のリブ２４ｂに摩擦接触して摺動するため、制動部２４から制動力を受けながら回転する。これにより、引き出される粘着テープ５には、制動力に応じたテンションがかかるようになっている。
【００９５】
また、第２の実施形態に係るテープ繰り出し装置２では、リール３０の左右の向きを変えて、矩形突起８０を側板部４２側の軸受け部６５に嵌合させ、第１の外側リール軸部１３ａを側板部４３側の軸受け部６５で支持させることでも、リール３０をリールホルダ４０にセットすることができるようになっている。
【００９６】
また、第２の実施形態に係るテープ繰り出し装置２は、内側リール２０が第２の収納状態の場合は、例えば第１の外側リール軸部１３ａを側板部４２側の軸受け部６５で支持させ、第２の外側リール軸部１３ｂを側板部４３側の軸受け部６５で支持させることで、リール３０がリールホルダ４０にセットされるようになっている。図２２はその状態を示している。また、第２の実施形態に係るテープ繰り出し装置２は、リール３０の左右の向きを変えて、第２の外側リール軸部１３ｂを側板部４２側の軸受け部６５で支持させ、第１の外側リール軸部１３ａを側板部４３側の軸受け部６５で支持させることでも、リール３０をリールホルダ４０にセットすることができるようになっている。
【００９７】
第２の実施形態に係るテープ繰り出し装置２は、内側リール２０が第２の収納状態の場合、図１８に示したようにリール３０から突出しないようになっている。したがて矩形突起８０は軸受け部６５に係止しない。このためリール３０は、外側リール１０が内側リール２０の制動部２４により制動力を受けることがなく、内側リール２０と外側リール１０とが一体となって回転するようになっている。
【００９８】
次に、第２の実施形態の作用を説明する。
【００９９】
第２の実施形態に係るテープ繰り出し装置２では、内側リール２０が第１の収納状態の場合、リール３０から引き出される粘着テープ５に制動力に応じたテンションがかかる。このため、粘着テープ５が本実施形態の両面粘着テープのように剥離しやすいものであっても、引き出された粘着テープ５にテンションを好適にかけることができる。その結果、粘着テープ５を適度な抵抗を受けながら引き出しやすくなり、また、粘着テープ５をテープカッター７０で切断する場合には容易かつ確実に切断することができる。
【０１００】
また、第２の実施形態に係るテープ繰り出し装置２は、リールホルダ４０の各側板部４２、４３の各軸受け部６５が、リール３０を回転可能に支持する機能と、内側リール２０の回転を規制する機能を共有する構成を有している。これは、矩形突起８０がリール３０に同軸状に設けられるため可能な構成である。この構成により、各側板部４２、４３を簡素な構成とすることができる。
【０１０１】
また、第２の実施形態に係るテープ繰り出し装置２は、内側リール２０が第１の収納状態においてリール３０をリールホルダ４０にセットする際、リール３０の左右の向きがいずれの場合であっても、軸方向の片側に突出する矩形突起８０を、側板部４２、４３のいずれか一方の軸受け部６５に係止可能にセットすることができる。このため、リール３０の左右の向きを確かめてセットするという繁雑な作業が不要となり、使い勝手が良好となる。
【０１０２】
また、第２の実施形態に係るテープ繰り出し装置２は、左右の側板部４２、４３の各ガイド溝部５１を利用してリール３０をリールホルダ４０に外部から容易にセットすることができる。
【０１０３】
なお、上述の各実施形態においては、内側リール２０がリールホルダ４０に係止する本発明に係る係止部はストッパピン２５および矩形突起８０であるが、係止部の構成、および係止部が係止するリールホルダ４０側の規制部の構成は、内側リール２０の回転が規制される構成であればよく、上述の実施形態に限定されない。
【０１０４】
また、上述の各実施形態においては、制動部２４は内側リール２０の外周部を構成する板部２４ａおよびリブ２４ｂで構成しているが、本発明に係る制動部は、例えば内側リール２０の側面側に設けて外側リール１０の端板部１２の内面に摩擦接触するなどの構成としてもよく、制動部２４の構成に限定はされない。
【産業上の利用可能性】
【０１０５】
本発明は、リールを制動するための構造が従来よりも簡素で部品点数が抑えられ、組み立ても容易であり、さらにリールの制動・非制動の切り替えを簡単に行うことができるテープ繰り出し装置として有用である。
【符号の説明】
【０１０６】
１、２  テープ繰り出し装置
５  粘着テープ
１０  外側リール
１２  端板部
１３ａ、１３ｂ  外側リール軸部（回転軸）
２０  内側リール
２２  連結板部
２４  制動部
２５  ストッパピン（係止部、第１の突起）
３０  リール
４０  リールホルダ
４０ａ  収納空間
４２、４３  側板部
５０、５１  ガイド溝部（ガイド部）
６１ｂ  後側壁部（規制部、第１の壁部）
６２  上側壁部（規制部、第１の壁部）
６３  軸受け部
６５  軸受け部（規制部、第２の壁部）
７１  テープ保持部
８０  矩形突起（係止部、第２の突起）
【図１】
2020050505.tif 000003
【図２】
2020050505.tif 000004
【図３】
2020050505.tif 000005
【図４】
2020050505.tif 000006
【図５】
2020050505.tif 000007
【図６】
2020050505.tif 000008
【図７】
2020050505.tif 000009
【図８】
2020050505.tif 000010
【図９】
2020050505.tif 000011
【図１０】
2020050505.tif 000012
【図１１】
2020050505.tif 000013
【図１２】
2020050505.tif 000014
【図１３】
2020050505.tif 000015
【図１４】
2020050505.tif 000016
【図１５】
2020050505.tif 000017
【図１６】
2020050505.tif 000018
【図１７】
2020050505.tif 000019
【図１８】
2020050505.tif 000020
【図１９】
2020050505.tif 000021
【図２０】
2020050505.tif 000022
【図２１】
2020050505.tif 000023
【図２２】
2020050505.tif 000024